【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
有利に透明な、場合により既に保護層で被覆された基板を有し、この基板の表面上に光により書き込み可能な情報層、場合により保護層、場合により接着層、最後にカバー層が設けられていて、青色光、有利にレーザー光により書き込み及び読み出すことができ、前記の情報層は吸光性化合物を含有する光学データ記録媒体において、この吸光性化合物が、書き込み時に熱的に環化して５員、６員又は７員環を形成する化学配置を有していることを特徴とする、光学データ記録媒体。
【請求項２】
３５０〜４６０ｎｍの範囲内に吸収極大λｍａｘを有し、熱により環化して５員、６員又は７員環になる化学配置を有する吸光性化合物の、ライトワンス型光学データ記録媒体の情報層中での使用。
【請求項３】
青色レーザー光で書き込み及び読み出しするライトワンス型光学データ記録媒体の情報層中の熱により環化する色素の、請求項２記載の使用。
【請求項４】
有利に透明な、場合により既に１つの反射層で被覆された基板を、場合により適当な結合剤及び添加剤及び場合により適当な溶剤と組み合わせた熱的に環化する色素で被覆し、場合により反射層、他の中間層及び場合により保護層又は他の基板又はカバー層を設けることを特徴とする、請求項１記載の光学データ記録媒体の製造方法。
【請求項５】
青色光、特に青色レーザー光で書き込まれた、請求項１記載の光学データ記録媒体。
【請求項６】
次の式（ＩＩＩ）
【化１】
2004525801.tif 000001
［式中、
Ｒ４５は水素、ブロモ、クロロ、Ｃ１〜Ｃ４−アルキル、Ｃ１〜Ｃ４−アルコキシ、シアノ、Ｃ１〜Ｃ４−アルコキシカルボニル、モノ−又はジ−Ｃ１〜Ｃ４−アルキルアミノを表し、
Ｒ４６、Ｒ４７、Ｒ４８及びＲ４９は相互に無関係に、水素、メチル、エチル、Ｃ１〜Ｃ６−アルコキシ、フルオロ、クロロ、ブロモ、シアノ、ニトロ、Ｃ１〜Ｃ４−アルコキシカルボニル、モノ−又はジ−Ｃ１〜Ｃ４−アルキルアミノを表し、
Ｒ５０は水素、メチル、シアノ、Ｃ１〜Ｃ６−アルコキシカルボニル、ホルミル、ブロモ、クロロを表し、
Ｒ５１は水素、メチル、ブロモ、アミノ、Ｎ−メチルアミノ、ジメチルアミノ、メトキシ、エトキシ、−Ｓ−ＣＨ３を表し、
Ｒ５２はシアノ、Ｃ１〜Ｃ６−アルコキシカルボニル、Ｃ６〜Ｃ１０−アリールオキシカルボニル、Ｃ１〜Ｃ６−アルカノイルオキシカルボニルを表し、かつ
Ｘ６はシアノ、Ｃ１〜Ｃ６−アルコキシカルボニル、Ｃ６〜Ｃ１０−アリールオキシカルボニル、Ｃ１〜Ｃ６−アルカノイルオキシカルボニル又は−ＣＨ２−Ｏ−ＳＯ２−ｐ−Ｃ６Ｈ４−ＣＨ３を表す］の化合物。
【請求項７】
次の式（Ｉａ）又は（ＩＩａ）
【化２】
2004525801.tif 000002
［式中、
Ｘ１はＮＲ１、Ｏ又はＳを表し、
Ｘ２はＣＲ２又はＮを表し、
Ｘ３はＣＲ３又はＮを表し、
Ｘ４はＣＲ４又はＮを表し、
Ｘ５はＣＲ５又はＮを表し、その際、列Ｘ２−Ｘ３−Ｘ４−Ｘ５中には２つのＮ原子は隣り合わない、
Ｘ６はＣＲ６Ｒ７Ｒ８、ＣＲ９＝Ｏ、ＣＲ１０＝Ｓ、ＣＲ１１＝ＮＲ１２又はＣ≡Ｎを表し、
Ｘ７はＣＲ１３Ｒ１４又はＣ＝Ｒ１５を表し、
Ｘ８はＯ、ＮＲ１６、ＣＲ１７Ｒ１８又はＣ＝Ｒ１９を表し、
Ｘ９はＯ、ＮＲ２０、ＣＲ２１Ｒ２２又はＣ＝Ｒ２３を表し、その際、Ｘ８がＯを表す場合、Ｘ９はＯを表さない、
ｎ、ｍは相互に無関係に０又は１を表し、
Ｘ６ａはＣＲ６Ｒ７、ＣＯ、ＣＳ、Ｃ＝ＮＲ１２又はＣ＝ＮＨを表し、
Ｒ１は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ２は、水素、ブロモ、Ｃ１〜Ｃ６−アルキル、Ｃ１〜Ｃ６−アルケニル、Ｃ１〜Ｃ６−アルキニル、Ｃ６〜Ｃ１０−アリール、Ｃ７〜Ｃ１５−アラリール、ヘタリール、Ｃ１〜Ｃ６−アルコキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノを表すか、又はＲ１と一緒になって５員又は６員の芳香族又は部分的に水素化された環の一部を表し、この環は１〜４個のヘテロ原子又はカルボニル基を含有していてもよくかつ／又はベンゼン縮合又はナフタレン縮合されていてもよくかつ／又は非イオン性の有利に電子供与体の基により置換されていてもよく、
Ｒ３は水素、Ｃ１〜Ｃ６−アルキル、Ｃ１〜Ｃ６−アルケニル、Ｃ６〜Ｃ１０−アリール、Ｃ７〜Ｃ１５−アラリール、ヘタリール、Ｃ１〜Ｃ６−アルコキシカルボニル、ホルミル、シアノ、ニトロ、ハロゲンを表すか又はＲ２と一緒になって５員又は６員の芳香族又は部分的に水素化した環の一部を表し、この環は１〜４個のヘテロ原子又はカルボニル基を含有することができかつ／又はベンゼン縮合又はナフタレン縮合していてもよくかつ／又はこの環は非イオン性の基により置換されていてもよく、
Ｒ４は水素、アミノ、ブロモ、Ｃ１〜Ｃ６−アルキル、Ｃ１〜Ｃ６−アルケニル、Ｃ１〜Ｃ６−アルキニル、Ｃ６〜Ｃ１０−アリール、Ｃ７〜Ｃ１５−アラリール、ヘタリール、Ｃ１〜Ｃ６−アルコキシ、Ｃ１〜Ｃ６−チオアルコキシ、モノ−又はジ−Ｃ１〜Ｃ６−アルキルアミノ、Ｎ−Ｃ１〜Ｃ６−アルキル−Ｎ−Ｃ６〜Ｃ１０−アリールアミノを表すか又はＲ３と一緒になって５員又は６員の芳香族又は部分的に水素化された環の一部を表し、この環は１〜４個のヘテロ原子又はカルボニル基を含有していてもよくかつ／又はベンゼン縮合又はナフタレン縮合されていてもよくかつ／又は非イオン性の、有利に電子供与体の基により置換されていてもよく、
Ｒ５は水素又は電子受容体を表し、特にシアノ、ニトロ、−（Ｃ＝Ｒ２４）Ｒ２５、カチオン性の基、例えばアンモニウム又はピリジニウムを表すか、又はＲ４と一緒になって５員又は６員の芳香族又は部分的に水素化された環の一部を表し、この環は４個までヘテロ原子又はカルボニル基を含有していてもよくかつ／又はベンゼン縮合又はナフタレン縮合されていてもよくかつ／又は非イオン性の基により置換されていてもよく、
Ｒ６は水素、ブロモ、クロロ、メトキシ又はエトキシを表し、
Ｒ７は水素、ブロモ、クロロ又は、Ｒ６がメトキシを表す場合にはメトキシを表し、又はＲ６がエトキシを表す場合にはエトキシを表し、
Ｒ８はブロモ、クロロ、ヨード、シアノ、トシレート、トリフレート、Ｃ１〜Ｃ６−アルカノイルオキシ、Ｃ１〜Ｃ６−アルキルチオを表すか、又はＲ７がメトキシを表す場合にはメトキシを表し、Ｒ７がエトキシを表す場合にはエトキシを表し、
Ｒ９、Ｒ１０及びＲ１１は相互に無関係に、Ｃ１〜Ｃ６−アルコキシ、クロロ、ブロモ、ヨード、Ｃ１〜Ｃ６−アルカノイルオキシ、Ｃ１〜Ｃ６−アルキルチオ、Ｃ６〜Ｃ１０−アリールオキシ、Ｃ６〜Ｃ１０−アリールカルボニルアミノを表すか、又はこれらの基の１つがＲ５と一緒になって５員又は６員の芳香族又は部分的に水素化された環を表し、この環はカルボニル基又は１〜４個のヘテロ原子を含有していてもよくかつ／又はベンゼン縮合又はナフタレン縮合されていてもよくかつ／又は非イオン性の基により置換されていてもよく、
Ｒ１２は水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１３、Ｒ１４、Ｒ１７、Ｒ２１及びＲ２２は相互に無関係に、水素、Ｃ１〜Ｃ３−アルキル、フルオロ、クロロ又はブロモを表し、
Ｒ１５はＯ、Ｓ、＝ＮＲ２６又はＣＲ２７Ｒ２８を表し、
Ｒ１６及びＲ２０は相互に無関係に、水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、
Ｒ１９はＯ、Ｓ、＝ＮＲ２９又はＣＲ３０Ｒ３１を表し、
Ｒ２３はＯ、Ｓ、＝ＮＲ３２又はＣＲ３３Ｒ３４を表し、
Ｒ２４はＯ、Ｓ又はＮＲ３５を表し、
Ｒ２５はブロモ、アミノ、Ｎ−Ｃ１〜Ｃ６−アルキルアミノ、ジ−Ｎ−Ｃ１〜Ｃ６−アルキルアミノ、Ｎ−Ｃ１〜Ｃ６−アルキル−Ｎ−Ｃ６〜Ｃ１０−アリールアミノ、Ｃ１〜Ｃ６−アルカノイルオキシ、Ｃ６〜Ｃ１０−アリールオキシ、Ｃ１〜Ｃ６−アルキル、Ｃ１〜Ｃ６−アルコキシ、Ｃ１〜Ｃ６−アルキルチオを表すか又はＸ６と一緒になって５員又は６員環の一部を表し、
Ｒ２６、Ｒ２９、Ｒ３２及びＲ３５は相互に無関係に、水素、Ｃ１〜Ｃ６−アルキル、Ｃ１〜Ｃ６−アルケニル、Ｃ１〜Ｃ６−アルキニル、Ｃ４〜Ｃ７−シクロアルキル、Ｃ７〜Ｃ１５−アラルキル、Ｃ１〜Ｃ６−アルコキシカルボニル、アリール又はヘタリールを表し、その際、ヘタリール基は３個までのヘテロ原子を含有することができ、かつアリール基もしくはヘタリール基は３個までの非イオン性の基により置換されていてもよく、及び
Ｒ２７、Ｒ２８、Ｒ３０、Ｒ３１、Ｒ３３及びＲ３４は相互に無関係に、水素、Ｃ１〜Ｃ６−アルキル、Ｃ１〜Ｃ６アルケニル、Ｃ４〜Ｃ７−シクロアルキル、Ｃ７〜Ｃ１５−アラルキル、アリール又はヘタリールを表し、その際、ヘタリール基は３個までのヘテロ原子を含有することができ、かつアリール基もしくはヘタリール基は３個までの非イオン性の基により置換されていてもよい］の化合物。
【請求項８】
吸光性化合物として請求項７記載の式（Ｉａ）又は（ＩＩａ）の化合物を情報層中に含有する光学データ記録媒体。